(57)【要約】      （修正有）【課題】ロータからポンピングベーンを取り外すことなく、ポンピングベーンを効果的に調整することができる古紙溶解装置を提供する。【解決手段】上方に開口を有する溶解槽と、この溶解槽の内部に回転自在に取り付けられた回転翼８とを備え、この回転翼８に溶解槽中の水等と古紙とを攪拌させるポンピングベーン８０が取り付けられた古紙溶解装置において、ポンピングベーン８０を、溶解槽中で溶解した古紙がロータに向かうように螺旋流を発生させる第１のポンピングベーン９１と、溶解した古紙を半径外側方向に送る吐出流を発生させる第２のポンピングベーン９２とに分割し、締結部材８２によって溶解槽の開口から第１及び第２のポンピングベーン９１，９２を回転翼８の上面に着脱可能に取り付けた。【選択図】図１０
0003151483.tif 000002
【実用新案登録請求の範囲】
【請求項１】
上方に開口を有する溶解槽と、この溶解槽の内部に回転自在に取り付けられた回転翼とを備え、この回転翼に溶解槽中の水等と古紙とを攪拌させるポンピングベーンが取り付けられた古紙溶解装置において、
前記ポンピングベーンを、前記溶解槽中で溶解した古紙がロータに向かうように螺旋流を発生させる第１のポンピングベーンと、溶解した古紙を半径外側方向に送る吐出流を発生させる第２のポンピングベーンとに分割し、締結部材によって前記溶解槽の開口から前記第１及び第２のポンピングベーンを前記回転翼の上面に着脱可能に取り付けたことを特徴とする古紙溶解装置。
【請求項２】
前記第１及び第２のポンピングベーンの高さ位置を調整する調整手段をそれぞれ個々に設けたことを特徴とする請求項１に記載の古紙溶解装置。
【請求項３】
前記第１及び第２のポンピングベーンの分割位置を、前記回転翼の長手方向のほぼ中央にしたことを特徴とする請求項１または請求項２に記載の古紙溶解装置。
【考案の詳細な説明】
【技術分野】
【０００１】
本考案は、古紙を離解してパルプ化するための古紙溶解装置に関するものである。
【背景技術】
【０００２】
低濃度パルパー（古紙溶解装置）は、主に、古紙を離解しパルプ化するための溶解槽と、回転するロータと、目孔が多数ついたスクリーンプレートとを備えている。このロータには、複数の回転翼が設けられており、この複数の回転翼の上部には、溶解槽中の水と古紙を攪拌するためのポンピングベーン（攪拌翼）がそれぞれ一体に設けられている。これにより、ロータを溶解槽内で回転させることで、溶解槽内に渦流を発生させ、溶解槽中の水等（水、薬品など）と古紙を撹拌させる（例えば、特許文献１〜３参照）。
【０００３】
上述した攪拌力はポンピングベーンの高さにより変化することが知られている。そのため、古紙溶解装置の離解力の改善や磨耗による攪拌力の低下が生じた場合には、ポンピングベーンの高さを調整することが通常的に行なわれている。
【先行技術文献】
【特許文献】
【０００４】
【特許文献１】特開２００８−２９１３７７号公報
【特許文献２】特開２００８−２９１３７８号公報
【特許文献３】特開２００８−２９１３７９号公報
【考案の概要】
【考案が解決しようとする課題】
【０００５】
しかしながら、一般的なポンピングベーンは、ロータの回転翼に一体化しているため、その調整や修正が困難である。また、この調整をするためには、ロータを古紙溶解装置から外す必要がある。
【０００６】
本考案は、上述した事情を鑑みてなされたものであり、古紙溶解装置からロータを取り外すことなく、ポンピングベーンを効果的に調整することができる古紙溶解装置を提供するためのものである。
【課題を解決するための手段】
【０００７】
上述課題を解決するため、本考案は、上方に開口を有する溶解槽と、この溶解槽の内部に回転自在に取り付けられた回転翼とを備え、この回転翼に溶解槽中の水等と古紙とを攪拌させるポンピングベーンが取り付けられた古紙溶解装置において、前記ポンピングベーンを、前記溶解槽中で溶解した古紙がロータに向かうように螺旋流を発生させる第１のポンピングベーンと、溶解した古紙を半径外側方向に送る吐出流を発生させる第２のポンピングベーンとに分割し、締結部材によって前記溶解槽の開口から前記第１及び第２のポンピングベーンを前記回転翼の上面に着脱可能に取り付けたことを特徴とする。
【０００８】
また、前記第１及び第２のポンピングベーンの高さ位置を調整する調整手段をそれぞれ個々に設けている。
【０００９】
さらに、前記第１及び第２のポンピングベーンの分割位置を、前記回転翼の長手方向のほぼ中央にしてもよい。
【考案の効果】
【００１０】
本考案に係る古紙溶解装置１によれば、前記ポンピングベーンを、前記溶解槽中で溶解した古紙がロータに向かうように螺旋流を発生させる第１のポンピングベーンと、溶解した古紙を半径外側方向に送る吐出流を発生させる第２のポンピングベーンとに分割しているので、第１のポンピングベーンを調整することで、吐出流の強さに影響を与えることなく螺旋流の強さを効果的に調整することができると共に、第２のポンピングベーンを調整することで、螺旋流の強さに影響を与えることなく吐出流の強さを効果的に調整することができる。また、締結部材によって前記溶解槽の開口から前記第１及び第２のポンピングベーンを前記回転翼の上面に着脱可能に取り付けているので、第１及び第２のポンピングベーンの位置の調整、交換や取り外しが、開口の上側から締結部材を緩めて行うことができる。その結果、ロータを古紙溶解装置から取り外す必要が無く、調整や交換作業を容易に行うことができる。
【図面の簡単な説明】
【００１１】
【図１】本発明に係るパルパー用ポンピングベーンが組み込まれた古紙溶解装置の概念図である。
【図２】図１のＡ−Ａ断面図であって、ロータを上面から示したものである。
【図３】ロータによる古紙片の裁断作用を示す断面図である。
【図４】ロータによる古紙片の裁断作用を示す断面図である。
【図５】ロータによる古紙片の裁断作用を示す断面図である。
【図６】古紙溶解装置に取り付けられたロータを上側から見た上面図である。
【図７】図６のＢ−Ｂ断面図である。
【図８】図６からロータを取り外した状態であって、スクリーンプレートを上側から見た上面図である。
【図９】回転翼の側部拡大断面図である。
【図１０】ポンピングベーンを斜め上側から見た斜視図である。
【考案を実施するための形態】
【００１２】
以下、本考案の実施の形態に係るパルパーロータ用ポンピングベーンについて、図面を用いて詳細に説明する。
図１は、古紙溶解装置１の溶解槽２を示す側面図、図２は図１のＡ−Ａ断面図である。
【００１３】
一般に、収集した古紙を再利用するため、古紙を溶解する装置として古紙溶解装置１が使用されている。
古紙溶解装置１は、図１に示すように、円筒状の側部を鉛直板３で切り欠いた上面視Ｄ型形状を有している。この古紙溶解装置１は、収集した古紙と溶解用の水、薬品等が収容される溶解槽２と、図２に示すように、溶解槽２の底面部中心に配設され旋回流を作るとともに溶解した古紙を裁断する古紙裁断用ロータ４と、該ロータ４の下方に配設され、裁断した古紙片をろ過する丸穴等が多数形成されたスクリーンプレート５とから構成されている。
【００１４】
また、古紙溶解装置１は、図１に示すように、溶解槽２の外側に、古紙または古紙を積層し圧縮したベールを搬送するコンベア６を備えている。このコンベア６によって搬送されたベールは、溶解槽２の上部に形成された開口７から矢印に示すように溶解槽２内に投入される。
また、溶解槽２には、ベールと同時に、上記開口７から溶解用の水等が投入される。
【００１５】
そして、溶解槽２内に投入された古紙および水は、図２に示す古紙裁断用ロータ４（
以下単にロータ４という）の矢印方向の回転により生じる旋回流（詳細は後述する螺旋流と吐出流）によって溶解槽２内で回転する。これにより、溶解槽２内に投入された古紙および水は、旋回流によって混合され、古紙は細かな古紙片１３に分離し、中心部の渦によりロータ４の下方へと吸い込まれる。
【００１６】
図３〜図５は、ロータによる古紙片１１の裁断作用を説明するための断面図である。
分離された古紙片１１は、ロータ４に具えられた回転刃であるカッターブレード９，６１，６２（詳細は後述する）によりさらに細かく裁断され溶解される。そして、溶解槽２内においてさらに細かく裁断された古紙片１３は、溶解されてスラリー状になると、ロータ４下方に配設される一枚の円板形状のスクリーンプレート５に形成された多数の目孔（詳細は後述する）を通してろ過される。
【００１７】
図６は、古紙溶解装置１に取り付けられたロータ４の上面図であり、図７は、図６のＢ−Ｂ断面図である。また、図８は、図６からロータ４を取り外した状態であって、スクリーンプレート５の上面図である。さらに、図９は、回転翼８の側部拡大断面図、図１０は、ポンピングベーン８０を斜め上側から見た斜視図である。
【００１８】
溶解槽２内の底面には、図２に示すように、内部を中空にした環状の基礎台４０が取り付けられている。この基礎台４０の上面には、スクリーンプレート取り付け板４１が配設されている。また、基礎台４０の中央には、ロータ４のロータ本体２１が、回動自在に支承されている。
このロータ本体２１は、回転中心部を構成し、図示せぬ回転モータ等の回転軸（図示せず）に固着される円筒形の中心部材２２と、この中心部材２２に位置決め用の円筒キー２３及び取付けボルト２４等により固着された回転翼取付け部材２５と、この回転翼取付け部材２５に溶接等の固着手段を介して取付け固定された６枚構成の回転翼８とから構成されている。
【００１９】
なお、図７で、符号２７は、中心部材２２を上方から密封する半球状のキャップで、このキャップ２７は、取付けボルト２８により回転翼取付け部材２５に締着されている。また、図７で符号２９は、ロータ本体２１の中心部材２２を図示せぬ回転モータ等の駆動軸に締着する締着ボルトである。
また、ロータ本体２１の回転中心部分近傍には、図示せぬシール手段が配設され、このロータ本体２１の回転中心部分から液物等が漏洩しないように構成されていることは言うまでもない。
【００２０】
スクリーンプレート５は、図８に示すように、円周方向に沿って複数枚（６枚）に分割された扇形形状のスクリーンプレート部分５２から構成されている。このスクリーンプレート部分５２は、スクリーンプレート５の外周縁を除く部分に、固定刃として機能する多数の目孔５１が形成されている。
各スクリーンプレート部分５２には、その周縁に複数の締着孔部５３が穿設され、スクリーンプレート取付け板４１には、締結孔部５３と対応する位置にねじ穴が設けられている。この締着孔部５３には、ボルト等の締着部材７３が嵌挿され、スクリーンプレート取付け板４１のねじ穴に締着されることによって、各クリーンプレート部分５２が取り付けられている。
【００２１】
また、基礎台４０の内部は、図７に示すように、裁断された古紙片の排出空間Ｓが形成され、ロータ４により裁断された古紙片１３（図４及び図５参照）はこの排出空間Ｓを経由して矢印Ｈのごとく後工程へ排出される。上述したスクリーンプレート取り付け板４１の内周にも、裁断された古紙片１３を排出空間Ｓへ案内する孔４１ａが形成されている。
【００２２】
ロータ４は、図２及び図６に示すように、６枚の回転翼８を有している。
これらの回転翼８の下面（裏面）には、図９に示すように、回転翼８の先端縁を形成すべく湾曲状に配設された第１のカッターブレード９と、その後方に直線状に配設された第２のカッターブレード６１と、該第２のカッターブレード６１に隣接して配設された第３のカッターブレード６２とが、着脱自在に配設されている。これらのカッターブレード９，６１，６２は、回転刃として機能する。
【００２３】
これにより、図４及び図９に示すように、溶解槽２内で溶解された古紙片１１がスクリーンプレート５の目孔５１内に嵌着すると、図９の矢印Ｅ方向へ回転移動する回転翼８に一体形成されたカッターブレード９，６１，６２とスクリーンプレート５の目孔５１上縁との摺接により古紙片１１が裁断され（図５参照）、裁断された古紙片１３はスクリーンプレート５の下方に吸引され目孔５１から落下し、ろ過される。
【００２４】
一方、これらの回転翼８のそれぞれの上面２６ｅ（表面）には、図６、図７及び図９に示すように、ポンピングベーン８０（攪拌翼）が設けられている。このポンピングベーン８０は、キャップ２７から回転翼８の形状に沿って先端側に向かって延びている。ポンピングベーン８０の延在方向と直交する面における断面形状は、図９に示すように、略Ｌ字形状を成しており、ポンピングベーン８０は、上面２６ｅに接する態様で取り付けられる取付部８０ａと、上面２６ｅから上方に向かって突出し、溶解槽２中の水等と古紙とを攪拌するための翼部８０ｂとで構成されている。
この取付部８０ａと翼部８０ｂとは、溶接等によって接合されていてもよく、一体に形成されていてもよい。
【００２５】
取付部８０ａには、図９及び図１０に示すように、ボルト挿通孔８１が延在方向に間隔を開けて複数形成されている。一方、回転翼８の上面２６ｅにも、このボルト挿通孔８１と対応する位置にねじ穴８３が設けられている。ポンピングベーン８０の取り付けは、溶解槽２の開口２ａ側である上方側からボルト挿通孔８１に締結ボルト８２を挿通させ、締結ボルト８２をねじ穴８２に螺合させることにより行われる。上述したボルト挿通孔８１の直径は、締結ボルト８２の直径よりも大きく形成されており、この隙間の分だけ取付部８０ａの位置を左右及び前後方向にずらして翼部８０ｂの位置を調整できるようになっている。
【００２６】
この取付部８０ａと上面２６ｅとの間には、例えば、調整用のシム部材（調整手段）を挿入することができる。これにより、ポンピングベーン８０の翼部８０ｂの高さ方向の位置を自由に調整できるようになっている
なお、ポンピングベーン８０の高さ調整は、シム部材を用いて行う方法に限らない。例えば、ポンピングベーン８０と回転翼８の上面２６ｅとの間に、圧縮ばねのような弾性体を介在させ、この弾性体がポンピングベーン８０を上方に付勢するように構成し、締結ボルト８２の締結力によってポンピングベーン８０の高さが変えられるようにしてもよい。また、ポンピングベーン８０を上下方向に移動させるジャッキボルトを用いてポンピングベーン８０の高さ方向の位置を上下動させるものであってもよい。
【００２７】
ポンピングベーン８０は、図１０に示すように、キャップ２７側に位置する第１のポンピングベーン９１と、回転翼８の先端側に位置する第２のポンピングベーン９２とに分割して構成されている。これらの第１のポンピングベーン９１及び第２のポンピングベーン９２は、回転翼８の長手方向のほぼ中央の位置で分割されており、互いの翼部８０ｂがなだらかに連続して繋がる態様で取り付けられている。また、第１及び第２のポンピングベーン９１，９２は、上述した締結ボルト８２によってそれぞれ独立して回転翼８に固定されている。すなわち、第１及び第２のポンピングベーン９１，９２は、互いに独立して着脱或いは高さ調整、取付位置の調整をすることができるようになっている。
なお、ポンピングベーン８０は、図６に示すように、６つの回転翼８のうちの１つおきに第１及び第２のポンピングベーン９１，９２を設けるようにしてもよく、全部の回転翼８に第１及び第２のポンピングベーン９１，９２を設けるようにしてもよい。
【００２８】
この第１のポンピングベーン９１は、回転翼８の回転方向Ｔ（図１０参照）の前辺９１ａに沿ってキャップ２７から回転翼８のほぼ中央まで延びている。この形状により、第１のポンピングベーン９１の翼部は、溶解した古紙がロータに向かうように螺旋流を発生させることになる。
一方、第２のポンピングベーン９２は、回転翼８のほぼ中央部から先端に向かうに従い回転翼８の前辺９２ａから後辺９２ｂへと延びている。この形状により、第２のポンピングベーン９２の翼部は、溶解した古紙が半径外側方向へ送られる吐出流を発生させることになる。
【００２９】
本考案の実施の形態に係るポンピングベーンによれば、第１のポンピングベーン９１と第２のポンピングベーン９２とを分割構造で構成しているので、第１のポンピングベーン９１を調整して、吐出流の強さに影響を与えることなく螺旋流の強さを調整することができると共に、第２のポンピングベーン９２を調整して、螺旋流の強さに影響を与えることなく吐出流の強さを調整することができる。そのため、分割構造でないポンピングベーンと比較して、螺旋流及び吐出流の強さを効率的かつ効果的に調整することができる。
【００３０】
また、締結ボルト８２によって溶解槽２の開口２ａから第１及び第２のポンピングベーン９１，９２を回転翼８の上面２６ｅに着脱可能に取り付けているので、第１及び第２のポンピングベーン９１，９２の位置の調整、交換や取り外しが、開口２ａの上側から締結ボルト８２を緩めて行うことができる。その結果、ロータ４を古紙溶解装置１から取り外す必要が無く、調整や交換作業を容易に行うことができる。
【００３１】
さらに、第１及び第２のポンピングベーン９１，９２の高さ位置を調整するために、調整用のシムなどを含む調整手段をそれぞれ個々に設けているので、締結ボルト８２を緩めて作業するだけで高さ位置を調整することができる。そのため、ロータ４を古紙溶解装置１から取り外すことなく、第１及び第２のポンピングベーン９１，９２の高さ及び位置を調整することができる。
【００３２】
また、第１及び第２のポンピングベーン９１，９２の分割位置を、回転翼８の長手方向のほぼ中央にしたことで、螺旋流と吐出流とのバランスを均等にすることができる。その結果、十分な螺旋流及び吐出流を得ることができる。
【００３３】
以上、本考案の実施の形態に係る融着接続機及び融着接続機の設定方法について述べたが、本考案は既述の実施形態に限定されるものではなく、本考案の技術思想に基づいて各種の変形および変更が可能である。
例えば、本考案では、回転翼８を６枚としたが、構造によって適宜枚数を決定することができる。また、６枚の全ての回転翼８の上面２６ｅに第１及び第２のポンピングベーン９１，９２を取り付けているが、必要に応じて間引いて取り付けてあっても良い。すなわち、十分な螺旋流及び吐出流を得ることができる範囲で、任意に決定することができる。
【００３４】
また、ポンピングベーン８０を２分割としているが、十分な螺旋流及び吐出流を得られるように調整するために、３分割或いはそれ以上に分割されていてもよい。この場合においても、高さ及び位置調整を独立して行えるようにすることで、ポンピングベーンの微調整が可能になる。
【符号の説明】
【００３５】
１  古紙溶解装置
２  溶解槽
２ａ  底面
３  鉛直板
４  古紙裁断用ロータ（ロータ）
５  スクリーンプレート
６  コンベア
７  開口
８  回転翼
９  第１のカッターブレード
１１  古紙片
１３  裁断された古紙片
２１  ロータ本体
２２  中心部材
２３  円筒キー
２４  取付けボルト
２５  回転翼取付け部材
２７  キャップ
２６ｅ  回転翼の上面
２８  取付けボルト
４０  基礎台
４１  スクリーンプレート取り付け板
５１  目孔
５２  スクリーンプレート部分
５３  締着孔部
６１  第２のカッターブレード
６２  第３のカッターブレード
７３  締結部材
８０  ポンピングベーン
８０ａ  取付部
８０ｂ  翼部
８１  ボルト挿通孔
８２  締結ボルト（締結部材）
８３  ねじ穴
９１  第１のポンピングベーン
９１ａ  前辺
９２  第２のポンピングベーン
９２ａ  前辺
９２ｂ  後辺
Ｓ  排出空間
【図１】
0003151483.tif 000003
【図２】
0003151483.tif 000004
【図３】
0003151483.tif 000005
【図４】
0003151483.tif 000006
【図５】
0003151483.tif 000007
【図６】
0003151483.tif 000008
【図７】
0003151483.tif 000009
【図８】
0003151483.tif 000010
【図９】
0003151483.tif 000011
【図１０】
0003151483.tif 000012